(57)【要約】  【課題】  快適性を損なうことを抑制しつつ移動性を高めることができる机を提案する。  【解決手段】  机１は、天板１１と、左右それぞれにて天板１１を支持する一対の脚部１３Ｌおよび脚部１３Ｒとを備えている。脚部１３Ｌは、前後に間隔を空けて配置された前脚２１Ｌおよび後脚２３Ｌと、前脚２１Ｌおよび後脚２３Ｌを連結する連結部２５Ｌとを備えている。連結部２５Ｌは、後脚２３Ｌから前脚２１Ｌ側に向けて床面に沿って延びる第１部分６１Ｌと、第１部分６１Ｌの延び出した先端から屈曲して前方かつ上方かつ右方に延び出し、前脚２１Ｌ（上柱２７Ｌ）と第１部分６１Ｌとを接続する第２部分６３Ｌと、を有する。第２部分６３Ｌは、自在型キャスタ３１が存在し得る存在領域６５の外側を通過して、前脚２１Ｌと第１部分６１Ｌの延び出した先端とを接続している。【選択図】図１
2014213087.tif 000002
【特許請求の範囲】
【請求項１】
天板と、前記天板を支持する左右一対の脚部と、を備える机であって、
前記脚部は、前後に間隔を空けて配置された一組の脚と、前記一組の脚を連結する連結部と、を備えており、
前記一組の脚の少なくともいずれか一方の下端にはキャスタが設けられており、
前記連結部は、
前記一方の脚とは異なる他方の脚から前記一方の脚側に向けて床面に沿って延びる第１部分と、
前記キャスタが存在し得る存在領域の外側を通過し、前記一方の脚と前記第１部分の延び出した先端とを接続する第２部分と、を有する
ことを特徴とする机。
【請求項２】
前記キャスタは、上下方向の回転軸を中心として旋回可能であり、
前記第２部分は、前記キャスタが旋回により移動し得る領域を前記存在領域として、該領域の外側を通過し、前記一方の脚と前記第１部分の延び出した先端とを接続する
ことを特徴とする請求項１に記載の机。
【請求項３】
前記第２部分は、前記第１部分の延び出した先端から上方に延び出して前記一方の脚に接続される
ことを特徴とする請求項１または請求項２に記載の机。
【請求項４】
当該机は、複数の前記机を前記天板が重なるように積み重ねて収納でき、かつ、該収納した状態において、上下に積み重なる２つの前記机それぞれにおける前記連結部同士の間に上下方向の間隔が形成されるように構成されており、
前記他方の脚の下端には、前記間隔に収まるように第２のキャスタが設けられている
ことを特徴とする請求項１から請求項３のいずれか１項に記載の机。
【発明の詳細な説明】
【技術分野】
【０００１】
本発明は、天板を支持する左右一対の脚部を備える机に関する。
【背景技術】
【０００２】
従来、天板を支持する脚部として、簡易な構成で安定して天板を支持することを目的として、前後方向に間隔を開けて設けられた一対の前脚および後脚を、天板の左右両側において設けた構成である脚部を備える机が用いられている。
【０００３】
またこのような机において、前脚と後脚とを連結する連結部を設けることで前脚と後脚との強度を高めたものも用いられている（特許文献１参照）。なお連結部の位置が高くなると使用者の足が引っ掛かるなど不都合が生じるため、机を快適に使用するために、連結部は低い位置に配置することが望まれる。
【０００４】
また従来、机の脚部にキャスタを備える机がある（特許文献２参照）。
【先行技術文献】
【特許文献】
【０００５】
【特許文献１】特開２０１２−１００９３６号公報
【特許文献２】実開平０５−５３５２６号公報
【発明の概要】
【発明が解決しようとする課題】
【０００６】
上述した特許文献１の机においても、キャスタを設けることで机の移動性が向上する。しかしながら特許文献１の机においてキャスタを前脚または後脚の下端に配置しようとすると、連結部とキャスタとが接触してしまうことを防止するため連結部を上方に移動させて設ける必要があり。その結果、上述したように連結部が高い位置にあることによって使用上好ましいものではなくなる場合があった。
【０００７】
本発明の目的は、快適性を損なうことを抑制しつつ移動性を高めることができる机を提案することである。
【課題を解決するための手段】
【０００８】
上述した問題を解決するためになされた請求項１に記載の発明は、天板と、その天板を支持する左右一対の脚部と、を備える机であって、以下の特徴を有する。
左右それぞれの脚部は、前後に間隔を空けて配置された一組の脚と、その一組の脚を連結する連結部と、を備えており、その一組の脚の少なくともいずれか一方の下端にはキャスタが設けられている。
【０００９】
また連結部は第１部分と第２部分とを有している。第１部分は、上述した一方の脚とは異なる他方の脚から一方の脚側に向けて床面に沿って延びる。第２部分は、上述したキャスタが存在し得る存在領域の外側を通過し、一方の脚と、第１部分の延び出した先端とを接続する。
【００１０】
このように構成された机は、前後に間隔を空けて配置された一組の脚を連結する連結部における第１部分が床面に沿って延びつつ第２部分がキャスタの存在し得る存在領域の外側を通過することから、第１部分を床面に近づけて低い位置に配置することができ、かつ、連結部がキャスタに接触することを抑制できる。
【００１１】
従って本発明の机では、連結部が高い位置に配置されることにより着席時の快適性が損なわれてしまうことを抑制しつつ、キャスタによって移動性を高めることができる。
上述した存在領域とは、机を設置して使用する場合やキャスタを用いて移動する場合など、通常の机の使用状態においてキャスタが位置しうる空間のことを意味する。例えば上述したキャスタとして、上下方向の回転軸を中心として旋回可能であるキャスタを用いることができ、このとき上述した存在領域はキャスタが旋回により移動し得る領域となる。
【００１２】
この場合において、第２部分は、その存在領域の外側を通過して上述した一方の脚と第１部分の延び出した先端とを接続するように構成されていてもよい。このような机であれば、旋回可能なキャスタを用いることで机の移動性を高めることができ、さらにその場合においてもキャスタと連結部との接触を抑制しながら連結部の一部を床面に沿って配置させることで快適性を高めることができる。
【００１３】
上述した第２部分は、例えば、第１部分の延び出した先端から上方に延び出して一方の脚に接続されるように構成されていてもよい。このような机であれば、第１部分を床面に沿って配置させつつ、第２部分が上方に延び出してキャスタの存在領域を回避することができる。なお上方とは床面から離れる方向であって、当然ながら垂直方向に限られることはなく斜め上方向も含む。
【００１４】
ところで、本発明の机は、複数の机を天板が重なるように積み重ねて収納でき、かつ、該収納した状態において、上下に積み重なる２つの机それぞれにおける連結部同士の間に上下方向の間隔が形成されるように構成されていてもよい。さらにその場合において、他方の脚の下端には、上述した連結部の上下方向の間隔に収まるように第２のキャスタが設けられていてもよい。
【００１５】
このような机であれば、他方の脚の下端に第２のキャスタを設けることで移動性をさらに高めることができる。また、机を積み重ねたときにその第２キャスタが連結部の上下方向の間隔に収まることから積み重ねのピッチを広くする必要がなく、小さく重ねることができる。
【００１６】
なお上記本発明の構成においては、各部の相対的な位置関係を簡潔に説明するため前後、左右、および上下の方向を規定している。これらは通常の使用時における方向を示すものであるが、使用態様を制限するものではない。一例として着席者から机に向かう方向を前後方向とすることが考えられるが、その方向に限定されない。
【図面の簡単な説明】
【００１７】
【図１】実施例の机を示す斜視図である。
【図２】実施例の机を示す図であって、（Ａ）が正面図であり、（Ｂ）が右側面図であり、（Ｃ）が左側面図であり、（Ｄ）が背面図であり、（Ｅ）が平面図であり、（Ｆ）が底面図である。
【図３】脚部の下方の拡大図であって、（Ａ）が右側面図であり、（Ｂ）が正面図であり、（Ｃ），（Ｄ）が左側面図である。
【図４】脚部の下方を拡大した右側面図である。
【図５】机の積み重ねを説明する図であって、（Ａ）が一部を省略および透視した平面図であり、（Ｂ）が図５（Ｃ）の下側の机に対するＢ−Ｂ断面図であり、（Ｃ）が図５（Ａ）のＡ−Ａ断面図である。
【図６】机の連結を説明する、一部を省略および透視した平面図である。
【図７】机の変形例を示す図であって、（Ａ）が正面図であり、（Ｂ）が右側面図である。
【発明を実施するための形態】
【００１８】
以下に本発明の実施形態を図面と共に説明する。
［実施例］
（１）全体構成
本実施例の机１は、図１および図２（Ａ）〜図２（Ｆ）に示すように、天板１１と、左右それぞれにて天板１１を支持する一対の脚部１３Ｌおよび脚部１３Ｒと、天板１１の前側に垂下状に設けられる幕板１５とを備えている。
【００１９】
なお本実施例の机は使用者の着席位置が想定されるものであって天板１１の後方が着席側となる。左右方向は、使用者が机１に向かって着席した状態で使用者を基準とした左右の方向となる。そのため、図２（Ｂ）の右側面図には机１の左側が示され、図２（Ｃ）の左側面図には机１の右側が示されている。
【００２０】
天板１１は、前後方向および左右方向に広がる略矩形形状であって、角部分に丸みを有する板状の部材である。
脚部１３Ｌおよび脚部１３Ｒは、外観が棒状の金属パイプを屈曲および溶接して形成されている。脚部１３Ｌおよび脚部１３Ｒは左右対称に近い形状となっているが、一部の形状が相違している。そこで、まず脚部１３Ｌについて説明し、脚部１３Ｒについては脚部１３Ｌと相違する箇所を説明する。
【００２１】
脚部１３Ｌは、前後に間隔を空けて配置された前脚２１Ｌおよび後脚２３Ｌと、前脚２１Ｌおよび後脚２３Ｌを連結する連結部２５Ｌとを備えている。
前脚２１Ｌは、下端が連結部２５Ｌと連結する上柱２７Ｌと、上柱２７Ｌと隣接して配置される下柱２９Ｌと、を溶接して形成されている。上柱２７Ｌと下柱２９Ｌはいずれも上下方向に延びており、下柱２９Ｌが上柱２７Ｌの右側に並ぶように連接される。
【００２２】
前脚２１Ｌ（下柱２９Ｌ）の下端には、上下方向の回転軸を中心として旋回可能であり、回転方向を自在に変更できる自在型キャスタ３１が設けられている。
後脚２３Ｌの下端には、左右方向に固定された回転軸を中心として回転する、回転方向が前後方向に固定された固定型キャスタ３５が設けられている。
【００２３】
脚部１３Ｒは、前脚２１Ｒ，後脚２３Ｒ，連結部２５Ｒ，上柱２７Ｒ，下柱２９Ｒを備えており、配置および構成は基本的には脚部１３Ｌの前脚２１Ｌ，後脚２３Ｌ，連結部２５Ｌ，上柱２７Ｌ，下柱２９Ｌと同じである。後脚２３Ｒは、後脚２３Ｌと比べて上方が前方に傾斜している。また連結部２５Ｒの形状は連結部２５Ｌと若干相違するが、詳細は後述する。
【００２４】
左右一対の脚部１３Ｌ，１３Ｒの間には、上柱２７Ｌ，２７Ｒ同士を連結する上脚連結杆３９（図２（Ｄ）参照）と、下柱２９Ｌ，２９Ｒの上端部同士を連結する下脚連結杆４１とが設けられている。下脚連結杆４１は下柱２９Ｌ，２９Ｒと一体に形成されている。
【００２５】
前脚２１Ｌの上端と前脚２１Ｒの上端は、第１横設部４５（図５（Ａ），図５（Ｃ）参照）によって連結されている。また後脚２３Ｌの上端および後脚２３Ｒの上端は、第２横設部４７によって連結されている。天板１１は、これら第１横設部４５および第２横設部４７により支持される。
【００２６】
なお図２（Ａ）〜図２（Ｆ）などに示すように、前脚２１Ｌ，２１Ｒはいずれも天板１１の下側の空間に設けられており、後脚２３Ｌ，２３Ｒはいずれも天板１１の下側の空間から左右方向の外側に外れた位置に設けられている。
【００２７】
幕板１５は、天板１１の前端部において、幕板１５の主たる面と天板１１の前端とがほぼ揃うように配置されている。また幕板１５は、天板１１の下面との間隔を小さくして、実質的に指などを挿入できる高さの隙間が天板１１と幕板１５との間に生じないように配置されている。
【００２８】
幕板１５の左右中央の上部には手掛け部５１が設けられている。この手掛け部５１に指などを引っ掛けて机１の前側に荷重を掛けて机を持ち運ぶことができる。
（２）脚部下端の構成
まず、脚部１３Ｌ，１３Ｒの各連結部から各前脚までの構成を図３（Ａ）〜図３（Ｄ）に基づいて説明する。
【００２９】
脚部１３Ｌの連結部２５Ｌは、図３（Ａ），（Ｂ）に示すように、後脚２３Ｌから前脚２１Ｌ側に向けて床面に沿って延びる第１部分６１Ｌと、第１部分６１Ｌの延び出した先端から屈曲して前方かつ上方かつ右方に延び出し、前脚２１Ｌ（上柱２７Ｌ）と第１部分６１Ｌとを接続する第２部分６３Ｌと、を有する。
【００３０】
第２部分６３Ｌは、自在型キャスタ３１が存在し得る存在領域６５の外側を通過して、前脚２１Ｌと第１部分６１Ｌの延び出した先端とを接続している。自在型キャスタ３１は上下方向の回転軸を中心として旋回可能であるから、自在型キャスタ３１が存在し得る存在領域６５とは自在型キャスタ３１が旋回したときに位置し得る領域となる。
なお自在型キャスタ３１の旋回回転軸は、前脚２１Ｌ（下柱２９Ｌ）および前脚２１Ｒ（下柱２９Ｒ）の中心軸と同一の直線上に配置されている。
【００３１】
脚部１３Ｒの連結部２５Ｒも、図３（Ｃ）に示すように、連結部２５Ｌと同様に第１部分６１Ｒと第２部分６３Ｒとを備えており、第２部分６３Ｒが存在領域６５の外側を通過する。しかしながら図３（Ｄ）に示すように、第２部分６３Ｒは第２部分６３Ｌよりも左右方向から見て上方に位置している。また第２部分６３Ｌと比較して、第１部分６１Ｒと接続する屈曲位置が後方であり、上柱２７Ｒと接続する屈曲位置が上方である。
【００３２】
次に、脚部１３Ｌ，１３Ｒにおける連結部から後脚における構成を図４に基づいて説明する。なおこの部分の形状は左右対称であるため、脚部１３Ｌについてのみ説明する。
後脚２３Ｌは上下方向に延びている。この後脚２３Ｌの下端は、前方かつ下方に延びる屈曲部３３として形成されており、この屈曲部３３の延びた先から上述した連結部２５Ｌの第１部分６１Ｌが前脚２１Ｌの位置する方向に延びている。
【００３３】
固定型キャスタ３５における左右方向に延びる回転軸３５ａは、その中心３５ｂが屈曲部３３の下側の空間であって連結部２５Ｌ（第１部分６１Ｌ）の下端よりも上方の領域３３ａに位置するように配置されている。
【００３４】
また、固定型キャスタ３５の回転軸３５ａを支持する支持部３７は、連結部２５Ｌの下面と接触する第１領域３７ａと、屈曲部３３の下面と接触する第２領域３７ｂと、を有している。第１領域３７ａおよび第２領域３７ｂは、金属パイプからなる連結部２５Ｌおよび屈曲部３３に密着できるように、金属パイプ表面の曲面に合わせた曲面状に形成されている。支持部３７は下方からネジ止めにより連結部２５Ｌに固定される。
なお第１部分６１Ｌおよび第１部分６１Ｒは、上述したように床面に沿って延びているが、その主たる部分の上端、即ち金属パイプの側面のうち上側に位置する部分は、自在型キャスタ３１の車輪の上端および固定型キャスタ３５の車輪の上端よりもその位置が低くなるように床面に接近させて配置される。
【００３５】
（３）机のスタッキングおよびギャンギング機能
机１は、スタッキングが可能である。２台の机をスタッキングした状態を図５（Ａ），図５（Ｃ）に示す。また机１の天板１１の下方を示す図を図５（Ｂ）に示す。なお、理解を容易にするために一部の構成を省略している。
【００３６】
机１は、図５（Ｂ）に示すように、上面視で天板１１よりも左右方向外側に後脚２３Ｌ，２３Ｒが配置されているため、天板１１が重なるようにして複数積み重ねて収納することが可能である。なお前脚２１Ｌ，２１Ｒは天板１１の下方に配置されているが、その位置が天板１１の前端近傍であるため、積み重ねる際に上下の机１の天板１１同士をずらす幅に与える影響は小さい。
【００３７】
なおこのように積み重ねて収納した状態において、図５（Ｃ）に示すように、２台の机１における連結部２５Ｒ同士の間には上下方向の間隔が形成される。固定型キャスタ３５は、同図および図４に示すように、この間隔に収まるように構成されている。
【００３８】
また机１は、左右にギャンギングし、天板１１を接することが可能である。２台の机１をギャンギングした状態を図６に示す。なお、理解を容易にするために一部の構成を省略している。
上述したように机１は上面視で天板１１よりも左右方向外側に後脚２３Ｌ，２３Ｒが配置されているが、天板１１を左右方向に隣接して並べても後脚２３Ｌと後脚２３Ｒとは接触しない。
【００３９】
２台の机１の連結箇所を見ると、第２横設部４７の左端部側は後方に屈曲しており、その左端部から後脚２３Ｌが垂直に下に延びている。一方、第２横設部４７の右端部側は屈曲しておらず、その右端部から後脚２３Ｒが後方に傾斜して下に延びている。その結果、左側の机１の後脚２３Ｒが右側の机１における第２横設部４７の下をくぐるような位置関係となり、各脚部の接触が回避される。
【００４０】
また上述したように第２部分６３Ｒは第２部分６３Ｌよりも左右方向から見て上方に位置しているため、第２部分６３Ｒが第２部分６３Ｌの上を通過する位置関係となり、これらの接触も回避される。
【００４１】
このように本実施例の机１は、ギャンギングとスタッキングを同時に達成できる。
（４）効果
本実施例の机１は、第１部分６１Ｌ，６１Ｒが床面に沿って延びるため、使用者の着席時の快適性を損なわない。また第２部分６３Ｌ，６３Ｒは自在型キャスタ３１の近傍で上方に屈曲して存在領域６５の外側を通過するため、連結部２５Ｌ，２５Ｒが自在型キャスタ３１に接触することを抑制できる。
【００４２】
また机１は後脚２３Ｌ，２３Ｒの下端に固定型キャスタ３５を設けることで移動性をさらに向上させており、また机１を積み重ねたときに固定型キャスタ３５が連結部２５Ｌ，２５Ｒの上下方向の間隔に収まることから積み重ねのピッチを広くする必要がなく、小さく重ねることができる。
【００４３】
なお、前脚２１Ｌと後脚２３Ｌ、および前脚２１Ｒと後脚２３Ｒが本発明における一組の脚の一例であり、自在型キャスタ３１が本発明におけるキャスタの一例であり、固定型キャスタ３５が本発明における第２のキャスタの一例である。
【００４４】
［変形例］
以上本発明の実施例について説明したが、本発明は、上記実施例に何ら限定されることはなく、本発明の技術的範囲に属する限り種々の形態をとり得ることはいうまでもない。
【００４５】
例えば、上記実施例においては、前脚２１Ｌ，２１Ｒに自在型キャスタ３１を配置する構成を例示したが、後脚２３Ｌ，２３Ｒに自在型キャスタ３１を配置して、連結部２５Ｌ，２５Ｒが後方に配された自在型キャスタ３１の存在領域の外側を通過するように構成されていてもよい。
【００４６】
また上記実施例では、まっすぐな棒状の第２部分６３Ｌ，６３Ｒが存在領域６５を回避するように第１部分６１Ｌ，６１Ｒと前脚２１Ｌ，２１Ｒとを接続する構成を例示したが、第２部分は存在領域６５の外周に沿って曲げられた形状であってもよい。
【００４７】
また上記実施例において、脚部１３Ｌ，１３Ｒは金属パイプを屈曲または溶接して形成される構成を例示したが、脚部を構成する各部分の材質、形状、各部分の接続方法は特に限定されない。
【００４８】
脚部の材質として金属パイプを用い、接続態様を変更した机１ａを図７（Ａ），図７（Ｂ）に示す。机１ａは、前脚２１Ｌａ，２１Ｒａが一つの金属パイプにより構成されている。第２部分６３Ｌａ，６３Ｒａは前脚２１Ｌａ，２１Ｒａに溶接されており、下脚連結杆４１ａも前脚２１Ｌａ，２１Ｒａに溶接されている。このように、脚部の各部分の接続は様々な態様で行うことができる。
【符号の説明】
【００４９】
１，１ａ…机、１１…天板、１３Ｌ，１３Ｒ…脚部、１５…幕板、２１Ｌ，２１Ｒ…前脚、２３Ｌ，２３Ｒ…後脚、２５Ｌ，２５Ｒ…連結部、２７Ｌ，２７Ｒ…上柱、２９Ｌ，２９Ｒ…下柱、３１…自在型キャスタ、３３…屈曲部、３３ａ…領域、３５…固定型キャスタ、３５ａ…回転軸、３５ｂ…中心、３７…支持部、３７ａ…第１領域、３７ｂ…第２領域、３９…上脚連結杆、４１…下脚連結杆、４５…第１横設部、４７…第２横設部、５１…手掛け部、６１Ｌ，６１Ｒ…第１部分、６３Ｌ，６３Ｒ…第２部分、６５…存在領域。
【図１】
2014213087.tif 000003
【図２】
2014213087.tif 000004
【図３】
2014213087.tif 000005
【図４】
2014213087.tif 000006
【図５】
2014213087.tif 000007
【図６】
2014213087.tif 000008
【図７】
2014213087.tif 000009